(57)【特許請求の範囲】
【請求項１】
基地局から受信されたトラフィックパイロット（Ｔ／Ｐ）比に基づいてユーザ機器（ＵＥ）において信号を処理するための方法であって、
前記ＵＥで、複数のＴ／Ｐ比を受信することと、ここにおいて各Ｔ／Ｐ比が、特定のサブフレームまたは特定のリソースブロックにおいて複数のキャリアのうちの１つを介して送信するために前記基地局によって使用される電力に関係しており、前記複数のキャリアのうちのあるキャリアに関するＴ／Ｐ比が、データ信号を送信するための電力と基準信号を送信するための電力との比率に関係する０と１の間の値である、
前記複数のキャリアのうちの第１のキャリアを介して前記基地局から受信された基準信号の電力を判断することと、ここにおいて前記基準信号の前記電力が、前記ＵＥにおける受信機による測定値に基づいて判断される、
前記基準信号の前記判断された電力に、前記第１のキャリアに対応する前記複数のＴ／Ｐ比のうちの第１のＴ／Ｐ比を少なくとも適用することによって、前記特定のサブフレームまたは前記特定のリソースブロック内で前記第１のキャリアを介して受信されたデータ信号を処理することと、ここにおいて前記特定のサブフレームまたは前記特定のリソースブロックにおいて受信された、干渉基地局からの干渉データ信号が、前記干渉基地局によって送信された対応するＴ／Ｐ比に基づいて、前記データ信号の前記処理の間、前記ＵＥにおいて少なくとも部分的に消去される、
を備える、方法。
【請求項２】
前記データ信号の前記処理が、前記データ信号を復調するためにまたは前記データ信号に基づいてチャネル状態情報を報告するために前記基準信号の前記電力を使用することをさらに備える、請求項１に記載の方法。
【請求項３】
特定のサブフレームまたは特定のリソースブロックにおける変動する電力を使用する送信の方法であって、
複数のキャリアの各々を介して基準信号を送信することと、
前記複数のキャリアの各々を介してデータ信号を通信するための送信電力を判断することと、
前記複数のキャリアの各々を介した前記基準信号の電力と比較した前記データ信号のための前記送信電力を指定して、デバイスに前記複数のキャリアの各々についてトラフィックパイロット（Ｔ／Ｐ）比を示すことと、
前記送信電力に従って前記複数のキャリアの各々を介して前記データ信号を送信することと、
を備え、
各Ｔ／Ｐ比が、前記特定のサブフレームまたは前記特定のリソースブロックにおいて複数のキャリアのうちの１つを介して送信するために基地局によって使用される電力に関係しており、
前記特定のサブフレームまたは前記特定のリソースブロックにおいて受信された干渉基地局からの干渉データ信号が、前記干渉基地局によって送信された対応するＴ／Ｐ比に基づいて少なくとも部分的に消去される、方法。
【請求項４】
前記デバイスから前記複数のキャリアの各々に関係するチャネル状態情報フィードバックを受信することをさらに備える、請求項３に記載の方法。
【請求項５】
基地局から受信されたトラフィックパイロット（Ｔ／Ｐ）比に基づいてユーザ機器（ＵＥ）において信号を処理するための装置であって、
前記ＵＥで、複数のＴ／Ｐ比を受信するための手段と、ここにおいて各Ｔ／Ｐ比が、特定のサブフレームまたは特定のリソースブロックにおいて複数のキャリアのうちの１つを介して送信するために前記基地局によって使用される電力に関係しており、前記複数のキャリアのうちのあるキャリアのＴ／Ｐ比が、データ信号を送信するための電力と基準信号を送信するための電力との比率に関係する０と１の間の値である、
前記複数のキャリアのうちの第１のキャリアを介して前記基地局から受信された基準信号の電力を判断するための手段と、ここにおいて前記基準信号の前記電力が、前記ＵＥにおける受信機による測定値に基づいて判断される、
前記基準信号の前記判断された電力に、前記第１のキャリアに対応する前記複数のＴ／Ｐ比のうちの第１のＴ／Ｐ比を少なくとも適用することによって、前記特定のサブフレームまたは前記特定のリソースブロック内で前記第１のキャリアを介して受信されたデータ信号を処理するための手段と、ここにおいて前記特定のサブフレームまたは前記特定のリソースブロックにおいて受信された、干渉基地局からの干渉データ信号は、前記干渉基地局によって送信された対応するＴ／Ｐ比に基づいて、前記データ信号の前記処理の間、前記ＵＥにおいて少なくとも部分的に消去される、
を備える、装置。
【請求項６】
前記データ信号の処理のための前記手段が、前記データ信号を復調するために、または前記データ信号に基づいてチャネル状態情報を報告するために前記基準信号の前記電力を使用するようにさらに構成された、請求項５に記載の装置。
【請求項７】
特定のサブフレームまたは特定のリソースブロックにおける変動する電力を使用する送信のための装置であって、
複数のキャリアの各々を介して基準信号を送信するための手段と、
前記複数のキャリアの各々を介してデータ信号を通信するための送信電力を判断するための手段と、
前記複数のキャリアの各々を介した前記基準信号の電力と比較した前記データ信号のための前記送信電力を指定して、デバイスに前記複数のキャリアの各々についてトラフィックパイロット（Ｔ／Ｐ）比を示すための手段と、
前記送信電力に従って前記複数のキャリアの各々を介して前記データ信号を送信するための手段と、
を備え、
各Ｔ／Ｐ比が、前記特定のサブフレームまたは前記特定のリソースブロックにおいて複数のキャリアのうちの１つを介して送信するために基地局によって使用される電力に関係しており、
前記特定のサブフレームまたは前記特定のリソースブロックにおいて受信された干渉基地局からの干渉データ信号が、前記干渉基地局によって送信された対応するＴ／Ｐ比に基づいて少なくとも部分的に消去される、装置。
【請求項８】
前記デバイスから前記複数のキャリアの各々に関係するチャネル状態情報フィードバックを受信するための手段をさらに備える、請求項７に記載の装置。
【請求項９】
基地局から受信されたトラフィックパイロット（Ｔ／Ｐ）比に基づいて信号を処理するための装置であって、
複数のＴ／Ｐ比を受信することと、ここにおいて各Ｔ／Ｐ比が、特定のサブフレームまたは特定のリソースブロックにおいて複数のキャリアのうちの１つを介して送信するために前記基地局によって使用される電力に関係しており、前記複数のキャリアのうちのあるキャリアのＴ／Ｐ比が、データ信号を送信するための電力と基準信号を送信するための電力との比率に関係する０と１の間の値である、
前記複数のキャリアのうちの第１のキャリアを介して前記基地局から受信された基準信号の電力を判断することと、ここにおいて前記基準信号の前記電力が、ユーザ機器（ＵＥ）における受信機による測定値に基づいて判断される、
前記基準信号の前記判断された電力に、前記第１のキャリアに対応する前記複数のＴ／Ｐ比のうちの第１のＴ／Ｐ比を少なくとも適用することによって、前記特定のサブフレームまたは前記特定のリソースブロック内で前記第１のキャリアを介して受信されたデータ信号を処理することと、ここにおいて前記特定のサブフレームまたは前記特定のリソースブロックにおいて受信された、干渉基地局からの干渉データ信号が、前記干渉基地局によって送信された対応するＴ／Ｐ比に基づいて、前記データ信号の前記処理の間、前記ＵＥにおいて少なくとも部分的に消去される、
を行うように構成された処理システム
を備える、装置。
【請求項１０】
前記処理システムが、前記データ信号を復調するためにまたは前記データ信号に基づいてチャネル状態情報を報告するために前記基準信号の前記電力を使用するようにさらに構成された、請求項９に記載の装置。
【請求項１１】
特定のサブフレームまたは特定のリソースブロックにおける変動する電力を使用するための装置であって、
複数のキャリアの各々を介して基準信号を送信することと、
前記複数のキャリアの各々を介してデータ信号を通信するための送信電力を判断することと、
前記複数のキャリアの各々を介した前記基準信号の電力と比較した前記データ信号のための前記送信電力を指定して、デバイスに前記複数のキャリアの各々についてトラフィックパイロット（Ｔ／Ｐ）比を示すことと、
前記送信電力に従って前記複数のキャリアの各々を介して前記データ信号を送信することと、
を行うように構成された処理システム
を備え、
各Ｔ／Ｐ比が、前記特定のサブフレームまたは前記特定のリソースブロックにおいて複数のキャリアのうちの１つを介して送信するために基地局によって使用される電力に関係しており、
前記特定のサブフレームまたは前記特定のリソースブロックにおいて受信された干渉基地局からの干渉データ信号が、前記干渉基地局によって送信された対応するＴ／Ｐ比に基づいて少なくとも部分的に消去される、装置。
【請求項１２】
前記処理システムが、前記デバイスから前記複数のキャリアの各々に関係するチャネル状態情報フィードバックを受信するようにさらに構成された、請求項１１に記載の装置。
【請求項１３】
基地局から受信されたトラフィックパイロット（Ｔ／Ｐ）比に基づいてユーザ機器（ＵＥ）において信号を処理するためのコンピュータ可読記憶媒体であって、
複数のＴ／Ｐ比を受信することと、ここにおいて各Ｔ／Ｐ比が、特定のサブフレームまたは特定のリソースブロックにおいて複数のキャリアのうちの１つを介して送信するために前記基地局によって使用される電力に関係しており、前記複数のキャリアのうちのあるキャリアのＴ／Ｐ比が、データ信号を送信するための電力と基準信号を送信するための電力との比率に関係する０と１の間の値である、
前記複数のキャリアのうちの第１のキャリアを介して前記基地局から受信された基準信号の電力を判断することと、ここにおいて前記基準信号の前記電力が、前記ＵＥにおける受信機による測定値に基づいて判断される、
前記基準信号の前記判断された電力に、前記第１のキャリアに対応する前記複数のＴ／Ｐ比のうちの第１のＴ／Ｐ比を少なくとも適用することによって、前記特定のサブフレームまたは前記特定のリソースブロック内で前記第１のキャリアを介して受信されたデータ信号を処理することと、ここにおいて前記特定のサブフレームまたは前記特定のリソースブロックにおいて受信された、干渉基地局からの干渉データ信号が、前記干渉基地局によって送信された対応するＴ／Ｐ比に基づいて、前記データ信号の前記処理の間、前記ＵＥにおいて少なくとも部分的に消去される、
をコンピュータに行わせるためのコードを記憶している、コンピュータ可読記憶媒体。
【請求項１４】
前記データ信号を復調するためにまたは前記データ信号に基づいてチャネル状態情報を報告するために前記基準信号の前記電力を使用することを前記コンピュータに行わせるためのコードをさらに記憶している、請求項１３に記載のコンピュータ可読記憶媒体。
【請求項１５】
特定のサブフレームまたは特定のリソースブロックにおける変動する電力を使用するためのコンピュータ可読記憶媒体であって、
複数のキャリアの各々を介して基準信号を送信することと、
前記複数のキャリアの各々を介してデータ信号を通信するための送信電力を判断することと、
前記複数のキャリアの各々を介した前記基準信号の電力と比較した前記データ信号のための前記送信電力を指定して、デバイスに前記複数のキャリアの各々についてトラフィックパイロット（Ｔ／Ｐ）比を示すことと、
前記送信電力に従って前記複数のキャリアの各々を介して前記データ信号を送信することと、
をコンピュータに行わせるためのコードを記憶しており、
各Ｔ／Ｐ比が、前記特定のサブフレームまたは前記特定のリソースブロックにおいて複数のキャリアのうちの１つを介して送信するために基地局によって使用される電力に関係しており、
前記特定のサブフレームまたは前記特定のリソースブロックにおいて受信された干渉基地局からの干渉データ信号が、前記干渉基地局によって送信された対応するＴ／Ｐ比に基づいて少なくとも部分的に消去される、コンピュータ可読記憶媒体。
【請求項１６】
前記デバイスから前記複数のキャリアの各々に関係するチャネル状態情報フィードバックを受信することを前記コンピュータに行わせるためのコードをさらに記憶している、請求項１５に記載のコンピュータ可読記憶媒体。
【発明の詳細な説明】
【米国特許法第１１９条に基づく優先権の主張】
【０００１】
本特許出願は、本出願の譲受人に譲渡され、参照により本明細書に明確に組み込まれる、２０１１年１０月２８日に出願されたMETHOD AND APPARATUS FOR CONFIGURING TRAFFIC-TO-PILOT POWER RATIOS IN HETEROGENEOUS NETWORKSと題する仮出願第６１／５５３，１０６号の優先権を主張する。
【背景技術】
【０００２】
技術分野
本開示の態様は、一般にワイヤレス通信システムに関し、より詳細には、変動する電力で信号を送信することに関する。
【０００３】
背景技術
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／または基地局は他の基地局と）通信することができる。
【０００５】
従来の基地局を補うために、よりロバストなワイヤレスカバレージをモバイルデバイスに与えるために追加の低電力基地局が展開され得る。たとえば、増分キャパシティの増大（growth）、よりリッチなユーザエクスペリエンス、屋内（in-building）または他の特定の地理的カバレージなどのために、（たとえば、一般に、Ｈ（ｅ）ＮＢと総称されるホームノードＢまたはホームｅＮＢ、フェムトノード、フェムトセルノード、ピコノード、マイクロノードなどと呼ばれることがある）低電力基地局が展開され得る。いくつかの構成では、そのような低電力基地局は、モバイル事業者のネットワークへのバックホールリンクを提供することができる、ブロードバンド接続（たとえば、デジタル加入者回線（ＤＳＬ）ルータ、ケーブルまたは他のモデムなど）を介してインターネットに接続される。この点について、低電力基地局は、現在のネットワーク環境を考慮することなしに、家庭、オフィスなどに展開されることが多い。したがって、低電力基地局は、ワイヤレスネットワークにおいて他の基地局（たとえば、他の低電力基地局および／またはマクロ基地局）との大幅な干渉を受けることがあるか、またはそのような干渉を引き起こすことがある。
【０００６】
そのような干渉に対処するために、セル範囲拡張（ＣＲＥ：cell range expansion）を含むいくつかの概念が開発されており、これにより、別の低電力基地局または高電力基地局が干渉を引き起こすのに十分近い場合でも、デバイスは低電力基地局によってサービスされることが可能になる。これは、（たとえば、基地局間のバックホールリンクを介してネゴシエーションを使用して）基地局の間でリソースを協調させるために拡張セル間干渉協調（ｅＩＣＩＣ：enhanced inter-cell interference coordination）など、干渉協調方式を使用することによって与えられ得る。しかしながら、干渉協調方式により、しばしば、少なくとも１つの基地局が、別の基地局によってネゴシエートされた保護されたリソースを利用しなくなるので、基地局からの通信は、そのような方式の使用を必要とすることによって依然として妨げられ（be hindered）得る。
【０００７】
モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００８】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００９】
１つまたは複数の態様およびそれの対応する開示によれば、本開示では、基地局が変動する送信電力を使用してサブフレームおよび／またはリソースブロックを介して送信することを可能にするために、サブフレームおよび／またはリソースブロックごとにトラフィックパイロット（Ｔ／Ｐ）比（traffic-to-pilot (T/P) ratio）を指定することに関して様々な態様について説明する。基地局と通信するデバイスが、特定のサブフレームまたはリソースブロックにおいて複数のキャリアのうちの１つを介して送信するために基地局によって使用される電力に各々が関係する複数のＴ／Ｐ比を受信することができる。さらに、本デバイスは、複数のキャリアのうちのあるキャリアを介して基地局から受信された基準信号の電力を判断することができる。その上、本デバイスは、基準信号の電力に、上記キャリアに対応する複数のＴ／Ｐ比のうちのあるＴ／Ｐ比を適用することに部分的に基づいて、特定のサブフレームまたはリソースブロック内で上記キャリアを介して受信されたデータ信号を処理することができる。
【００１０】
別の例では、本デバイスは、特定のサブフレームまたはリソースブロックを介して基地局からの基準信号と干渉基地局からの干渉基準信号とを受信し、特定のサブフレームまたはリソースブロックを介して送信するために干渉基地局によって利用される第１のＴ／Ｐ比を受信することができる。本デバイスは、第１のＴ／Ｐ比に部分的に基づいて、特定のサブフレームまたはリソースブロックにおいて受信された基地局のデータ信号から干渉基地局の干渉データ信号を部分的に消去することができる。その上、本デバイスは、特定のサブフレームまたはリソースブロックにおいてデータ信号を送信するために基地局によって使用される電力に関係する第２のＴ／Ｐ比を受信し、基地局から受信された基準信号の電力を判断し、基準信号の電力に第２のＴ／Ｐ比を適用することに部分的に基づいて、干渉データ信号を部分的に消去したことに続いてデータ信号を処理することができる。
【００１１】
別の例では、デバイスが、複数のキャリアの各々を介して基準信号を送信することができる。本デバイスは、さらに、複数のキャリアの各々を介してデータ信号を通信するための送信電力を判断し、複数のキャリアの各々を介した基準信号の電力と比較したデータ信号のための送信電力を指定して、デバイスに複数のキャリアの各々についてＴ／Ｐ比を示すことができる。その上、本デバイスは、送信電力に従って複数のキャリアの各々を介してデータ信号を送信することができる。
【００１２】
さらに別の例では、デバイスが基準信号を送信することができる。本デバイスは、さらに、基地局のための保護されたリソースであるものとしてサブフレームまたはリソースブロックを基地局とネゴシエートし、基地局のための保護されたリソースを介してデータ信号を通信するための送信電力を判断し、基準信号の電力と比較した保護されたリソースにおける送信電力についてデバイスに１つまたは複数のＴ／Ｐ比を示すことができる。その上、本デバイスは、送信電力に従って保護されたリソースを介してデータ信号を送信することができる。
【００１３】
関係する態様によれば、Ｔ／Ｐ比に基づいて基地局からの信号を処理するための方法が提供される。本方法は、特定のサブフレームまたはリソースブロックにおいて複数のキャリアのうちの１つを介して送信するために基地局によって使用される電力に各々が関係する複数のＴ／Ｐ比を受信することを含むことができる。さらに、本方法は、複数のキャリアのうちのあるキャリアを介して基地局から受信された基準信号の電力を判断することを含むことができる。その上、本方法は、基準信号の電力に、上記キャリアに対応する複数のＴ／Ｐ比のうちのあるＴ／Ｐ比を適用することに部分的に基づいて、特定のサブフレームまたはリソースブロック内で上記キャリアを介して受信されたデータ信号を処理することを含み得る。
【００１４】
別の態様は、Ｔ／Ｐ比に基づいて基地局からの信号を処理するように構成された通信装置に関する。本通信装置は、特定のサブフレームまたはリソースブロックにおいて複数のキャリアのうちの１つを介して送信するために基地局によって使用される電力に各々が関係する複数のＴ／Ｐ比を受信するための手段を含むことができる。さらに、本通信装置は、複数のキャリアのうちのあるキャリアを介して基地局から受信された基準信号の電力を判断するための手段を含むことができる。その上、本通信装置は、基準信号の電力に、上記キャリアに対応する複数のＴ／Ｐ比のうちのあるＴ／Ｐ比を適用することに部分的に基づいて、特定のサブフレームまたはリソースブロック内で上記キャリアを介して受信されたデータ信号を処理するための手段を含むことができる。
【００１５】
別の態様は通信装置に関する。本装置は、特定のサブフレームまたはリソースブロックにおいて複数のキャリアのうちの１つを介して送信するために基地局によって使用される電力に各々が関係する複数のＴ／Ｐ比を受信するように構成された処理システムを含むことができる。さらに、処理システムは、複数のキャリアのうちのあるキャリアを介して基地局から受信された基準信号の電力を判断するように構成され得る。その上、処理システムは、基準信号の電力に、上記キャリアに対応する複数のＴ／Ｐ比のうちのあるＴ／Ｐ比を適用することに部分的に基づいて、特定のサブフレームまたはリソースブロック内で上記キャリアを介して受信されたデータ信号を処理するように構成され得る。
【００１６】
さらに別の態様は、特定のサブフレームまたはリソースブロックにおいて複数のキャリアのうちの１つを介して送信するために基地局によって使用される電力に各々が関係する複数のＴ／Ｐ比を受信するためのコードを含むコンピュータ可読媒体を有することができる、コンピュータプログラム製品に関する。さらに、コンピュータ可読媒体は、複数のキャリアのうちのあるキャリアを介して基地局から受信された基準信号の電力を判断するためのコードを含むことができる。その上、コンピュータ可読媒体は、基準信号の電力に、上記キャリアに対応する複数のＴ／Ｐ比のうちのあるＴ／Ｐ比を適用することに部分的に基づいて、特定のサブフレームまたはリソースブロック内で上記キャリアを介して受信されたデータ信号を処理するためのコードを含むことができる。
【００１７】
関係する態様によれば、Ｔ／Ｐ比に基づいて基地局からの信号を処理するための方法が提供される。本方法は、特定のサブフレームまたはリソースブロックを介して基地局からの基準信号と干渉基地局からの干渉基準信号とを受信することを含むことができる。さらに、本方法は、特定のサブフレームまたはリソースブロックを介して送信するために干渉基地局によって利用される第１のＴ／Ｐ比を受信することを含むことができる。さらに、本方法は、第１のＴ／Ｐ比に部分的に基づいて、特定のサブフレームまたはリソースブロックにおいて受信された基地局のデータ信号から干渉基地局の干渉データ信号を部分的に消去することを含むことができる。さらに、本方法は、特定のサブフレームまたはリソースブロックにおいてデータ信号を送信するために基地局によって使用される電力に関係する第２のＴ／Ｐ比を受信することを含むことができる。さらに、本方法は、基地局から受信された基準信号の電力を判断することを含むことができる。その上、本方法は、基準信号の電力に第２のＴ／Ｐ比を適用することに部分的に基づいて、干渉データ信号を部分的に消去したことに続いてデータ信号を処理することを含み得る。
【００１８】
別の態様は、Ｔ／Ｐ比に基づいて基地局からの信号を処理するように構成された通信装置に関する。本通信装置は、特定のサブフレームまたはリソースブロックを介して基地局からの基準信号と干渉基地局からの干渉基準信号とを受信するための手段を含むことができる。さらに、本通信装置は、特定のサブフレームまたはリソースブロックを介して送信するために干渉基地局によって利用される第１のＴ／Ｐ比を受信するための手段を含むことができる。さらに、本通信装置は、第１のＴ／Ｐ比に部分的に基づいて、特定のサブフレームまたはリソースブロックにおいて受信された基地局のデータ信号から干渉基地局の干渉データ信号を部分的に消去するための手段を含むことができる。さらに、本通信装置は、特定のサブフレームまたはリソースブロックにおいてデータ信号を送信するために基地局によって使用される電力に関係する第２のＴ／Ｐ比を受信するための手段を含むことができる。さらに、本通信装置は、基地局から受信された基準信号の電力を判断するための手段を含むことができる。その上、本通信装置は、基準信号の電力に第２のＴ／Ｐ比を適用することに部分的に基づいて、干渉データ信号を部分的に消去したことに続いてデータ信号を処理するための手段を含むことができる。
【００１９】
別の態様は通信装置に関する。本装置は、特定のサブフレームまたはリソースブロックを介して基地局からの基準信号と干渉基地局からの干渉基準信号とを受信するように構成された処理システムを含むことができる。さらに、処理システムは、特定のサブフレームまたはリソースブロックを介して送信するために干渉基地局によって利用される第１のＴ／Ｐ比を受信するように構成され得る。さらに、処理システムは、第１のＴ／Ｐ比に部分的に基づいて、特定のサブフレームまたはリソースブロックにおいて受信された基地局のデータ信号から干渉基地局の干渉データ信号を部分的に消去するように構成され得る。さらに、処理システムは、特定のサブフレームまたはリソースブロックにおいてデータ信号を送信するために基地局によって使用される電力に関係する第２のＴ／Ｐ比を受信するように構成され得る。さらに、処理システムは、基地局から受信された基準信号の電力を判断するように構成され得る。その上、処理システムは、基準信号の電力に第２のＴ／Ｐ比を適用することに部分的に基づいて、干渉データ信号を部分的に消去したことに続いてデータ信号を処理するように構成され得る。
【００２０】
さらに別の態様は、特定のサブフレームまたはリソースブロックを介して基地局からの基準信号と干渉基地局からの干渉基準信号とを受信するためのコードを含むコンピュータ可読媒体を有することができる、コンピュータプログラム製品に関する。さらに、コンピュータ可読媒体は、特定のサブフレームまたはリソースブロックを介して送信するために干渉基地局によって利用される第１のＴ／Ｐ比を受信するためのコードを含むことができる。さらに、コンピュータ可読媒体は、第１のＴ／Ｐ比に部分的に基づいて、特定のサブフレームまたはリソースブロックにおいて受信された基地局のデータ信号から干渉基地局の干渉データ信号を部分的に消去するためのコードを含むことができる。さらに、コンピュータ可読媒体は、特定のサブフレームまたはリソースブロックにおいてデータ信号を送信するために基地局によって使用される電力に関係する第２のＴ／Ｐ比を受信するためのコードを含むことができる。さらに、コンピュータ可読媒体は、基地局から受信された基準信号の電力を判断するためのコードを含むことができる。その上、コンピュータ可読媒体は、基準信号の電力に第２のＴ／Ｐ比を適用することに部分的に基づいて、干渉データ信号を部分的に消去したことに続いてデータ信号を処理するためのコードを含むことができる。
【００２１】
関係する態様によれば、サブフレームまたはリソースブロックにおける変動する電力を使用する送信のための方法が提供される。本方法は、複数のキャリアの各々を介して基準信号を送信することを含むことができる。さらに、本方法は、複数のキャリアの各々を介してデータ信号を通信するための送信電力を判断することを含むことができる。さらに、本方法は、複数のキャリアの各々を介した基準信号の電力と比較したデータ信号のための送信電力を指定して、デバイスに複数のキャリアの各々についてＴ／Ｐ比を示すことを含むことができる。その上、本方法は、送信電力に従って複数のキャリアの各々を介してデータ信号を送信することを含み得る。
【００２２】
別の態様は、サブフレームまたはリソースブロックにおける変動する電力を使用して送信するように構成された通信装置に関する。本通信装置は、複数のキャリアの各々を介して基準信号を送信するための手段を含むことができる。さらに、本通信装置は、複数のキャリアの各々を介してデータ信号を通信するための送信電力を判断するための手段を含むことができる。さらに、本通信装置は、複数のキャリアの各々を介した基準信号の電力と比較したデータ信号のための送信電力を指定して、デバイスに複数のキャリアの各々についてＴ／Ｐ比を示すための手段を含むことができる。その上、本通信装置は、送信電力に従って複数のキャリアの各々を介してデータ信号を送信するための手段を含むことができる。
【００２３】
別の態様は通信装置に関する。本装置は、複数のキャリアの各々を介して基準信号を送信するように構成された処理システムを含むことができる。さらに、処理システムは、複数のキャリアの各々を介してデータ信号を通信するための送信電力を判断するように構成され得る。さらに、処理システムは、複数のキャリアの各々を介した基準信号の電力と比較したデータ信号のための送信電力を指定して、デバイスに複数のキャリアの各々についてＴ／Ｐ比を示すように構成され得る。その上、処理システムは、送信電力に従って複数のキャリアの各々を介してデータ信号を送信するように構成され得る。
【００２４】
さらに別の態様は、複数のキャリアの各々を介して基準信号を送信するためのコードを含むコンピュータ可読媒体を有することができる、コンピュータプログラム製品に関する。さらに、コンピュータ可読媒体は、複数のキャリアの各々を介してデータ信号を通信するための送信電力を判断するためのコードを含むことができる。さらに、コンピュータ可読媒体は、複数のキャリアの各々を介した基準信号の電力と比較したデータ信号のための送信電力を指定して、デバイスに複数のキャリアの各々についてＴ／Ｐ比を示すためのコードを含むことができる。その上、コンピュータ可読媒体は、送信電力に従って複数のキャリアの各々を介してデータ信号を送信するためのコードを含むことができる。
【００２５】
関係する態様によれば、サブフレームまたはリソースブロックにおける変動する電力を使用する送信のための方法が提供される。本方法は、基準信号を送信することを含むことができる。さらに、本方法は、基地局のための保護されたリソースであるものとしてサブフレームまたはリソースブロックを基地局とネゴシエートすることを含むことができる。さらに、本方法は、基地局のための保護されたリソースを介してデータ信号を通信するための送信電力を判断することを含むことができる。さらに、本方法は、基準信号の電力と比較した保護されたリソースにおける送信電力についてデバイスに１つまたは複数のＴ／Ｐ比を示すことを含むことができる。その上、本方法は、送信電力に従って保護されたリソースを介してデータ信号を送信することを含み得る。
【００２６】
別の態様は、サブフレームまたはリソースブロックにおける変動する電力を使用して送信するように構成された通信装置に関する。本通信装置は、基準信号を送信するための手段を含むことができる。さらに、本通信装置は、基地局のための保護されたリソースであるものとしてサブフレームまたはリソースブロックを基地局とネゴシエートするための手段を含むことができる。さらに、本通信装置は、基地局のための保護されたリソースを介してデータ信号を通信するための送信電力を判断するための手段を含むことができる。さらに、本通信装置は、基準信号の電力と比較した保護されたリソースにおける送信電力についてデバイスに１つまたは複数のＴ／Ｐ比を示すための手段を含むことができる。その上、本通信装置は、送信電力に従って保護されたリソースを介してデータ信号を送信するための手段を含むことができる。
【００２７】
別の態様は通信装置に関する。本装置は、基準信号を送信するように構成された処理システムを含むことができる。さらに、処理システムは、基地局のための保護されたリソースであるものとしてサブフレームまたはリソースブロックを基地局とネゴシエートするように構成され得る。さらに、処理システムは、基地局のための保護されたリソースを介してデータ信号を通信するための送信電力を判断するように構成され得る。さらに、処理システムは、基準信号の電力と比較した保護されたリソースにおける送信電力についてデバイスに１つまたは複数のＴ／Ｐ比を示すように構成され得る。その上、処理システムは、送信電力に従って保護されたリソースを介してデータ信号を送信するように構成され得る。
【００２８】
さらに別の態様は、基準信号を送信するためのコードを含むコンピュータ可読媒体を有することができる、コンピュータプログラム製品に関する。さらに、コンピュータ可読媒体は、基地局のための保護されたリソースであるものとしてサブフレームまたはリソースブロックを基地局とネゴシエートするためのコードを含むことができる。さらに、コンピュータ可読媒体は、基地局のための保護されたリソースを介してデータ信号を通信するための送信電力を判断するためのコードを含むことができる。さらに、コンピュータ可読媒体は、基準信号の電力と比較した保護されたリソースにおける送信電力についてデバイスに１つまたは複数のＴ／Ｐ比を示すためのコードを含むことができる。その上、コンピュータ可読媒体は、送信電力に従って保護されたリソースを介してデータ信号を送信するためのコードを含むことができる。
【００２９】
上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００３０】
開示する態様について、開示する態様を限定するためにではなく、例示するために与える、添付の図面とともに以下で説明し、同様の表示は同様の要素を示す。
【図面の簡単な説明】
【００３１】
【図１】電気通信システムの一例を概念的に示すブロック図。
【図２】電気通信システムにおけるダウンリンクフレーム構造の一例を概念的に示すブロック図。
【図３】本開示の一態様に従って構成された基地局／ｅＮＢおよびＵＥの設計を概念的に示すブロック図。
【図４Ａ】連続キャリアアグリゲーションタイプを開示する図。
【図４Ｂ】非連続キャリアアグリゲーションタイプを開示する図。
【図５】ＭＡＣレイヤデータアグリゲーションを開示する図。
【図６】複数キャリア構成において無線リンクを制御するための方法を示すブロック図。
【図７】変動する電力でデータ信号を通信するためのトラフィックパイロット（Ｔ／Ｐ）比を指定するための例示的なシステムのブロック図。
【図８】示されたＴ／Ｐ比に基づいてデータ信号を処理するための例示的な方法のフローチャート。
【図９】別の基地局からの基準信号の干渉を部分的に消去するための例示的な方法のフローチャート。
【図１０】１つまたは複数のデータ信号送信のためのＴ／Ｐ比を示すための例示的な方法のフローチャート。
【図１１】１つまたは複数のデータ信号送信のためのＴ／Ｐ比を示すための別の例示的な方法のフローチャート。
【図１２】示されたＴ／Ｐ比に基づいてデータ信号を処理する例示的なシステムのブロック図。
【図１３】１つまたは複数のデータ信号送信のためのＴ／Ｐ比を示す例示的なシステムのブロック図。
【詳細な説明】
【００３２】
添付の図面に関して以下に示す詳細な説明は、様々な構成を説明するものであり、本明細書で説明する概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００３３】
本明細書では、サブフレームおよび／またはリソースブロック（ＲＢ：resource block）ごとにデータを送信するために使用されるトラフィックパイロット（Ｔ／Ｐ）比を指定する基地局に関係する態様について説明する。たとえば、Ｔ／Ｐ比は、基準信号（たとえば、パイロット）を送信するために使用される電力のレベルと比較した、データ（たとえば、トラフィック）を送信するために使用される電力のレベルを示すために使用され得る。Ｔ／Ｐ比は、対応するサブフレームおよび／またはＲＢにおいてデータを搬送する信号の送信電力を判断するために受信デバイスによって使用され得る。この電力は、たとえば、信号を復調する際に、チャネル品質インジケータ（ＣＱＩ：channel quality indicator）などのチャネル状態（ＣＳＩ：channel state）フィードバックを判断する際になど、使用され得る。一例では、データ送信のために変動する電力を使用することにより、サービング基地局は、１つまたは複数の他の基地局とともに（たとえば、セル範囲拡張（ＣＲＥ）のために）よりロバストな干渉協調を実装することが可能になることがあり、その場合、サービング基地局は、低減された電力で送信することによって１つまたは複数の他の基地局によってネゴシエートされた保護されたリソースを介してデバイスと通信することができる。
【００３４】
さらに、たとえば、サービング基地局および１つまたは複数の他の基地局が、衝突する基準信号を送信する場合、デバイスは、１つまたは複数の他の基地局によって送信された基準信号の干渉を部分的に消去するためにサブフレームおよび／またはＲＢを介して１つまたは複数の他の基地局のＴ／Ｐ比を取得することができる。これは、復調すること、ＣＳＩフィードバックを報告することなどのために、サービング基地局から送信された信号のより正確な表現をレンダリングすることができる。さらに、基地局からの変動する送信電力を可能にすることは、デバイスが複数のキャリアを介して基地局と通信することができる、キャリアアグリゲーション（ＣＡ：carrier aggregation）においても有益であり得る。
【００３５】
たとえば、従来のＣＡでは、マクロ基地局が、低電力基地局との全基準信号衝突を防ぐために少なくとも１つのキャリアを介して低減された電力で送信する。したがって、たとえば上記で説明した概念を使用して、マクロ基地局は、少なくとも１つのキャリアを介してデータ通信のためにサブフレームおよび／またはＲＢごとにＴ／Ｐ比を指定しながら、より高い電力（たとえば、全電力）で基準信号を送信することができる。マクロ基地局の基準信号と低電力基地局の基準信号が衝突する場合、低電力基地局と通信するデバイスは、所与のサブフレームおよび／またはリソースブロックにおいてマクロ基地局によって使用される（１つまたは複数の）Ｔ／Ｐ比を受信することができ、したがってそのＴ／Ｐ比に基づいて基準信号によって引き起こされる干渉を部分的に消去することができる。
【００３６】
本明細書で参照する低電力基地局は、フェムトノード、ピコノード、マイクロノード、ホームノードＢまたはホーム発展型ノードＢ（Ｈ（ｅ）ＮＢ）、リレー、および／あるいは他の低電力基地局を含むことができ、本明細書ではこれらの用語のうちの１つを使用して呼ばれることがあるが、これらの用語の使用は低電力基地局を全体的に包含するものである。たとえば、低電力基地局は、ワイヤレスワイドエリアネットワーク（ＷＷＡＮ）に関連するマクロ基地局と比較して比較的低い電力で送信する。したがって、低電力基地局のカバレージエリアはマクロ基地局のカバレージエリアよりも実質的に小さいことがある。
【００３７】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ）、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥ／ＬＴＥ−Ａのすべてのリリースに関して説明し、以下の説明の大部分でＬＴＥ／ＬＴＥ−Ａ用語を使用する。
【００３８】
図１に、ワイヤレス通信ネットワーク１００を示し、これはＬＴＥ／ＬＴＥ−Ａネットワークであり得る。ワイヤレスネットワーク１００は、いくつかの発展型ノードＢ（ｅＮＢ）１１０と他のネットワークエンティティとを含み得る。ｅＮＢは、ＵＥと通信する局であり得、基地局、ノードＢ、アクセスポイントなどと呼ばれることもある。各ｅＮＢ１１０は、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしている（serving）ｅＮＢサブシステムを指すことがある。
【００３９】
ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢと呼ばれることがある。図１に示す例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００４０】
ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示す例では、中継局１１０ｒは、ｅＮＢ１１０ａとＵＥ１２０ｒとの間の通信を容易にするために、ｅＮＢ１１０ａおよびＵＥ１２０ｒと通信し得る。中継局は、リレーｅＮＢ、リレーなどと呼ばれることもある。
【００４１】
ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００４２】
ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００４３】
ネットワークコントローラ１３０は、ｅＮＢのセットに結合し、これらのｅＮＢの協調および制御を与え得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００４４】
ＵＥ１２０（たとえば、１２０ｘ、１２０ｙなど）はワイヤレスネットワーク１００全体にわたって分散され得、各ＵＥは固定（stationary）または移動（mobile）であり得る。ＵＥは、デバイス、端末、移動局、加入者ユニット、局などと呼ばれることもある。ＵＥは、セルラーフォン、スマートフォン、携帯情報端末（ＰＤＡ）、ワイヤレスモデム（または他のテザーデバイス）、ワイヤレス通信デバイス、ハンドヘルドデバイス、ラップトップコンピュータ、タブレット、スマートブック、ネットブック、ウルトラブック、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の潜在的に干渉する送信を示す。
【００４５】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭまたは同様の多重化方式の場合は周波数領域で、ＳＣ−ＦＤＭまたは同様の多重化方式の場合は時間領域で送られる。隣接するサブキャリア間の間隔は固定であり得、サブキャリアの総数（Ｋ）はシステム帯域幅に依存し得る。たとえば、Ｋは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０または２０ＭＨｚのシステム帯域幅に対してそれぞれ１つ、２つ、４つ、８つまたは１６個のサブバンドがあり得る。
【００４６】
図２に、ＬＴＥにおいて使用されるダウンリンクフレーム構造２００を示す。ダウンリンクの送信タイムラインは、無線フレーム２０２など、無線フレームの単位に区分され得る。各無線フレームは、所定の持続時間（たとえば、１０ミリ秒（ｍｓ））を有し得、サブフレーム０  ２０４など、０〜９のインデックスをもつ１０個のサブフレームに区分され得る。各サブフレームは、スロット０  ２０６およびスロット１  ２０８など、２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはＲＢに区分され得る。各ＲＢは、１つのスロット中でＮ個のサブキャリア（たとえば、１２個のサブキャリア）をカバーし得る。
【００４７】
ＬＴＥでは、ｅＮＢは、ｅＮＢ中の各セルに関する１次同期信号（ＰＳＳ：primary synchronization signal）と２次同期信号（ＳＳＳ：secondary synchronization signal）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００４８】
ｅＮＢは、図２の第１のシンボル期間全体において示されているが、各サブフレームの第１のシンボル期間の一部において物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、ここで、Ｍは、１、２または３に等しくなり得、サブフレームごとに変化し得る。Ｍはまた、たとえば、ＲＢが１０個未満である、小さいシステム帯域幅では４に等しくなり得る。図２に示す例では、Ｍ＝３である。ｅＮＢは、各サブフレームの最初のＭ個（図２ではＭ＝３）のシンボル期間中に物理ハイブリッド自動再送／要求（ＨＡＲＱ：hybrid automatic repeat/request）インジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのリソース割振りに関する情報と、ダウンリンクチャネルのための制御情報とを搬送し得る。図２の第１のシンボル期間の中には示されていないが、ＰＤＣＣＨおよびＰＨＩＣＨは、第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。様々な信号およびチャネルはＬＴＥ構成に対応することがある。
【００４９】
ｅＮＢは、ｅＮＢによって使用されるシステム帯域幅の中心（たとえば、中心１．０８メガヘルツ（ＭＨｚ））においてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００５０】
各シンボル期間においていくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中の４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３６または７２個のＲＥＧを占有し得る。ＲＥＧのいくつかの組合せがＰＤＣＣＨに対して許可され得る。
【００５１】
ＵＥは、ＰＨＩＣＨおよびＰＣＦＩＣＨのために使用される特定のＲＥＧを知り得る。ＵＥは、ＰＤＣＣＨについてＲＥＧの様々な組合せを探索し得る。探索すべき組合せの数は、一般に、ＰＤＣＣＨに対して許可される組合せの数よりも少ない。ｅＮＢは、ＵＥが探索することになる組合せのいずれかにおいてＵＥにＰＤＣＣＨを送り得る。
【００５２】
ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００５３】
図３に、図１中の基地局／ｅＮＢのうちの１つであり得る基地局／ｅＮＢ１１０および図１中のＵＥのうちの１つであり得るＵＥ１２０の設計のブロック図を示す。制限された関連付けのシナリオでは、基地局１１０は図１中のマクロｅＮＢ１１０ｃであり得、ＵＥ１２０はＵＥ１２０ｙであり得る。基地局１１０はまた、何らかの他のタイプの基地局であり得る。基地局１１０はアンテナ３３４ａ〜３３４ｔを備え得、ＵＥ１２０はアンテナ３５２ａ〜３５２ｒを備え得る。
【００５４】
基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、（たとえば、ＯＦＤＭなどのために）それぞれの出力シンボルストリームを処理して、出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００５５】
ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して、入力サンプルを取得し得る。各復調器３５４は、（たとえば、ＯＦＤＭなどのために）入力サンプルをさらに処理して、受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００５６】
アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。プロセッサ３６４はまた、基準信号のための基準シンボルを生成し得る。送信プロセッサ３６４からのシンボルは、適用可能な場合はＴＸ  ＭＩＭＯプロセッサ３６６によってプリコーディングされ、さらに（たとえば、ＳＣ−ＦＤＭなどのために）復調器３５４ａ〜３５４ｒによって処理され、基地局１１０に送信され得る。基地局１１０において、ＵＥ１２０からのアップリンク信号は、アンテナ３３４によって受信され、変調器３３２によって処理され、適用可能な場合はＭＩＭＯ検出器３３６によって検出され、さらに受信プロセッサ３３８によって処理されて、ＵＥ１２０によって送られた復号されたデータおよび制御情報が取得され得る。プロセッサ３３８は、復号されたデータをデータシンク３３９に与え、復号された制御情報をコントローラ／プロセッサ３４０に与え得る。
【００５７】
コントローラ／プロセッサ３４０および３８０は、それぞれ基地局１１０およびＵＥ１２０における動作を指示し得る。基地局１１０におけるプロセッサ３４０および／または他のプロセッサおよびモジュールは、本明細書で説明する技法のための様々なプロセスを実行するかまたはその実行を指示し得る。ＵＥ１２０におけるプロセッサ３８０および／または他のプロセッサおよびモジュールも、たとえば、図８〜図９に示す機能ブロック、および／または本明細書で説明する技法のための他のプロセスを実行するかまたはその実行を指示し得る。さらに、たとえば、プロセッサ３８０は、本明細書で説明する態様を実行するために、図７に示すモジュールを備えるかまたは少なくともそれらのモジュールに動作可能に結合され得る。メモリ３４２および３８２は、それぞれ基地局１１０およびＵＥ１２０のためのデータおよびプログラムコードを記憶し得、そのデータおよびプログラムコードは、図８〜図１１中の方法、図７中のモジュールなどを実行するための命令を含むことができる。スケジューラ３４４は、ダウンリンク上および／またはアップリンク上でのデータ送信のためにＵＥをスケジュールし得る。
【００５８】
キャリアアグリゲーション
ＬＴＥアドバンストＵＥは、各方向において送信のために使用される最高合計１００Ｍｈｚ（５つのコンポーネントキャリア）のキャリアアグリゲーションにおいて割り振られた、２０Ｍｈｚ帯域幅内のスペクトルを使用することができる。概して、アップリンク上ではダウンリンクよりも少ないトラフィックが送信され、したがって、アップリンクスペクトル割振りはダウンリンク割振りよりも小さくなり得る。たとえば、２０Ｍｈｚがアップリンクに割り当てられる場合、ダウンリンクは１００Ｍｈｚを割り当てられ得る。これらの非対称ＦＤＤ割当ては、スペクトルを節約することができ、ブロードバンド加入者による一般に非対称な帯域利用にぴったり合うが、他の割当てが可能であり得る。
【００５９】
キャリアアグリゲーションタイプ
ＬＴＥアドバンストモバイルシステムでは、２つのタイプのキャリアアグリゲーション（ＣＡ）方法、連続ＣＡと非連続ＣＡが提案されており、それらの例が図４Ａおよび図４Ｂに示されている。非連続ＣＡは、複数の利用可能なコンポーネントキャリア４１０が周波数帯域に沿って分離されたときに生じる（図４Ｂ）。一方、連続ＣＡは、複数の利用可能なコンポーネントキャリア４００が互いに隣接するときに生じる（図４Ａ）。図示のように、たとえば、連続ＣＡでは、キャリア１  ４０２、キャリア２  ４０４、およびキャリア３  ４０６が周波数において隣接する。非連続ＣＡでは、キャリア１  ４１２、キャリア２  ４１４、およびキャリア３  ４１６が周波数において隣接しない。非連続ＣＡと連続ＣＡの両方は、ＬＴＥアドバンストＵＥの単一ユニットを処理する（serve）ために複数のＬＴＥ／コンポーネントキャリアをアグリゲートする。
【００６０】
ＬＴＥアドバンストＵＥにおける非連続ＣＡでは、周波数帯域に沿ってキャリアが分離されるので、複数のＲＦ受信ユニットと複数のＦＦＴとが配備され得る。非連続ＣＡは、大きい周波数範囲にわたる複数の分離されたキャリア上でのデータ送信をサポートするので、周波数帯域が異なると、伝搬経路損失、ドップラーシフトおよび他の無線チャネル特性が大いに変わり得る。
【００６１】
したがって、非連続ＣＡ手法の下でブロードバンドデータ送信をサポートするために、異なるコンポーネントキャリアのためのコーディング、変調、および送信電力を適応的に調整するための方法が使用され得る。たとえば、拡張ノードＢ（ｅＮＢ）が各コンポーネントキャリア上で固定の送信電力を有するＬＴＥアドバンストシステムでは、各コンポーネントキャリアの実効カバレージまたはサポート可能な変調およびコーディングが、異なり得る。
【００６２】
データアグリゲーション方式
図５に、国際モバイル電気通信（ＩＭＴ：International Mobile Telecommunications）アドバンストシステムまたは同様のシステムのための媒体アクセス制御（ＭＡＣ）レイヤにおいて異なるコンポーネントキャリア５０２、５０４、および５０６（図５）からの送信ブロック（ＴＢ：transmission block）をアグリゲートするためにデータアグリゲーション５００を実行することを示す。ＭＡＣレイヤデータアグリゲーションでは、各コンポーネントキャリアは、ＭＡＣレイヤ中にそれ自体の独立したハイブリッド自動再送要求（ＨＡＲＱ）エンティティ５０８、５１０、および５１２を有し、物理レイヤ中にそれ自体の送信構成パラメータ（たとえば、送信電力、変調およびコーディング方式、ならびに複数アンテナ構成）を有する。同様に、物理レイヤ中で、１つのＨＡＲＱエンティティ５１４、５１６、および５１８が各コンポーネントキャリアに与えられ得る。
【００６３】
制御シグナリング
概して、複数のコンポーネントキャリアのための制御チャネルシグナリングを配備するための３つの異なる手法がある。第１は、ＬＴＥシステムにおける制御構造の軽微な変更を伴い、各コンポーネントキャリアは、それ自体のコード化制御チャネルを与えられる。
【００６４】
第２の方法は、異なるコンポーネントキャリアの制御チャネルをジョイントコーディングし、専用コンポーネントキャリアにおいて制御チャネルを配備することを伴う。複数のコンポーネントキャリアのための制御情報は、この専用制御チャネルでは、シグナリングコンテンツとして統合され得る。その結果、ＬＴＥシステムにおいて制御チャネル構造との後方互換性が維持されるとともに、ＣＡでのシグナリングオーバーヘッドが低減される。
【００６５】
異なるコンポーネントキャリアのための複数の制御チャネルは、ジョイントコーディングされ、次いで、第３のＣＡ方法によって形成された周波数帯域全体にわたって送信される。この手法は、制御チャネルにおいて低いシグナリングオーバーヘッドと高い復号性能とを提供するが、ＵＥ側の電力消費量が高くなる。ただし、この方法は、ＬＴＥシステムとの互換性がない。
【００６６】
ハンドオーバ制御
ＩＭＴアドバンスト（国際モバイル電気通信アドバンスト：International Mobile Telecommunications-Advanced）ＵＥのためにＣＡが使用されるとき、複数のセルにわたるハンドオーバプロシージャ中に送信連続性をサポートすることが好ましい。しかしながら、特定のＣＡ構成およびサービス品質（ＱｏＳ）要件とともに、受信（incoming）ＵＥのために十分なシステムリソース（たとえば、良好な送信品質をもつコンポーネントキャリア）を確保することが、次のｅＮＢにとって難しい（be challenging）ことがある。この理由は、２つ（またはそれ以上）の隣接するセル（ｅＮＢ）のチャネル状態が、特定のＵＥについて異なり得るからである。１つの手法では、ＵＥは、各隣接セルにおいて１つのコンポーネントキャリアのみのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が判断され得る。
【００６７】
図６に、一態様による、物理チャネルをグループ化することによって複数キャリアワイヤレス通信システムにおいて無線リンクを制御するための方法６００を示す。図示のように、本方法は、ブロック６０２において、１次キャリアと、１つまたは複数の関連する２次キャリアとを形成するために、少なくとも２つのキャリアからの制御機能を１つのキャリア上にアグリゲートすることを含む。次にブロック６０４において、１次キャリアと各２次キャリアとのための通信リンクを確立する。次いで、ブロック６０６において、１次キャリアに基づいて通信を制御する。
【００６８】
変動するＴ／Ｐ比を用いた送信
以下の概念はＣＡ構成と非ＣＡ構成とに同様に適用され得る。基地局が、変動するＴ／Ｐ電力比を使用してサブフレームおよび／またはＲＢ内で通信することができ、利用されたＴ／Ｐ比は、１つまたは複数のデバイスが関係する信号の電力を判断することを可能にするために、それらのデバイスに（たとえば、基地局によって）通信され得る。たとえば、判断された電力は、信号を復調すること、信号のＣＳＩフィードバックを報告することなどの目的で使用され得る。これにより、所与の基地局が、より低電力の送信を使用することによって別の基地局のネゴシエートされた保護されたリソースを介して送信することができるように、よりロバストな干渉協調方式が基地局の間で使用されることが可能になることがある。その上、Ｔ／Ｐ比は、衝突する基準信号の干渉を消去するために使用され得る。ＣＡでは、変動するＴ／Ｐ比により、マクロ基地局は、Ｔ／Ｐ比を使用してより低電力のデータ送信を指定しながらマクロ基地局のカバレージエリアを最大にするために、少なくとも基準信号送信について、全部の利用可能な電力を使用して実質的にすべてのキャリアを介して送信することが可能になることがある。
【００６９】
図７に、異なるＴ／Ｐ比を使用して信号を送信するための例示的なシステム７００を示す。システム７００は、ワイヤレスネットワークアクセスを受信するために基地局７０４と通信するデバイス７０２を含む。システム７００は、１つまたは複数のデバイスと通信するために基地局７０４と同様の周波数キャリアを利用し、したがってデバイス７０２と基地局７０４との間の通信に干渉することがある、基地局７０６をも含む。デバイス７０２は、ＵＥ、モデム（または他のテザーデバイス）、それらの一部分などであり得る。基地局７０４および７０６は、それぞれマクロ基地局、フェムトノード、ピコノード、マイクロノード、モバイル基地局、リレーノード、（たとえば、デバイス７０２とピアツーピアまたはアドホックのモードで通信する）デバイス、それらの一部分などであり得る。
【００７０】
デバイス７０２は、１つまたは複数のサブフレームまたはＲＢにおいてデータ通信を送信する際に基地局によって使用される１つまたは複数のＴ／Ｐ比を取得するためのＴ／Ｐ比受信構成要素７０８と、１つまたは複数のＴ／Ｐ比に基づいて基地局からの信号を修正するための信号処理構成要素７１０と、干渉基地局のために示されるＴ／Ｐ比に基づいて１つまたは複数の信号から干渉基地局の干渉を除去するための随意の干渉消去構成要素７１２とを含むことができる。
【００７１】
基地局７０４は、１つまたは複数のデバイスに対して１つまたは複数のサブフレーム、ＲＢなどにおいて基地局７０４によって使用されるＴ／Ｐ比を判断および／または指定するためのＴ／Ｐ比判断構成要素７１４と、デバイス７０２に基準信号および／またはデータ信号を送信するための送信構成要素７１６とを含むことができる。基地局７０４は、基地局７０４がそれを介してデバイスと通信するべきでない（または少なくともしきい値電力を超えて通信するべきでない）保護されたリソースを１つまたは複数の周囲の基地局とネゴシエートするためのセル間干渉協調（ＩＣＩＣ）ネゴシエート構成要素７１８、および／または１つまたは複数の周囲の基地局によって使用されるＴ／Ｐ比を取得するためのＴ／Ｐ比受信構成要素７２０を随意に含むことができる。
【００７２】
基地局７０６は、１つまたは複数の他の基地局またはデバイスに対して１つまたは複数のサブフレーム、ＲＢなどにおいて使用される１つまたは複数のＴ／Ｐ比を示すためのＴ／Ｐ比指定構成要素７２２、Ｔ／Ｐ比に基づいてサブフレームまたはＲＢを介してデータ（たとえば、および／または基準信号）を通信するための送信構成要素７２４、ならびに／あるいは保護されたリソースを１つまたは複数の基地局とネゴシエートすること、および／または１つまたは複数の基地局が保護されたリソースを介してそれを超えて通信することができる電力を判断することを行うためのＩＣＩＣネゴシエート構成要素７２６を随意に含むことができる。
【００７３】
一例によれば、Ｔ／Ｐ比判断構成要素７１４は、異なるサブフレームおよび／またはＲＢを介してデータ送信を通信するための異なるＴ／Ｐ比を判断することができる。Ｔ／Ｐ比判断構成要素７１４が、サブフレームの１つまたは複数のスロット、通信フレーム、ＲＢの集合など、時間および／または周波数の他の区分を介して送信する際に利用すべき異なるＴ／Ｐ比を同様に判断することができることを諒解されたい。いずれの場合も、Ｔ／Ｐ比判断構成要素７１４は（たとえば、１つまたは複数のデバイスにブロードキャストまたは専用シグナリング中でＴ／Ｐ比を広告することによって）デバイス７０２にＴ／Ｐ比を示すことができる。たとえば、Ｔ／Ｐ比判断構成要素７１４は、サブフレームまたはＲＢのリスト、利用可能なサブフレームまたはＲＢに対応するマップ、あるいは他のデータ構造においてＴ／Ｐ比を示すことができ、所与の通信フレーム中のサブフレームのために、１つまたは複数の後続の通信フレームのためになど、Ｔ／Ｐ比を指定することができる。さらに、Ｔ／Ｐ比は、基準信号を送信するための電力と比較したデータ通信を送信するための電力の比率に関係する、０から１までの値であり得る。
【００７４】
一例では、Ｔ／Ｐ比受信構成要素７０８は、様々なサブフレームおよび／またはＲＢのためのＴ／Ｐ比を取得することができる。したがって、送信構成要素７１６は、サブフレームおよび／またはＲＢごとに（１つまたは複数の）一定のＴ／Ｐ比に従ってサブフレームおよび／またはＲＢを介してデータ信号を送信することができる。信号処理構成要素７１０は、それらのリソースを介して基地局７０４から信号を取得することができ、受信された基準信号の電力に、対応するＴ／Ｐ比を適用することに基づいて、データ信号のための電力を判断することができる。信号処理構成要素７１０は、データ信号を復調するために、データ信号のためのＣＳＩフィードバックを報告するためになど、その電力を利用することができる。この点について、基地局７０４は、Ｔ／Ｐ比を使用して指定されたより低い電力を超えて通信することによって、基地局７０６によっても利用され得るリソースを介してデバイス７０２と通信することができる。
【００７５】
一例では、ＩＣＩＣネゴシエート構成要素７２６は、基地局７０４がそれを介して送信することを控えるかまたは少なくとも送信電力を制限するべきであるリソースを基地局７０４とネゴシエートすることができる。この例では、ＩＣＩＣネゴシエート構成要素７１８は、基地局７０６と通信するいくつかのデバイスのために保護されるべきそのようなリソースを判断することができるが、しきい値を下回る送信電力を使用してそれらのリソースを介して送信することは、それらのリソースを介して大幅な（substantial）干渉を引き起こさないはずである。したがって、Ｔ／Ｐ比判断構成要素７１４は、そのようなリソースを介して、デバイス７０２などのいくつかのデバイスと通信することを判断することができる。一例では、これは、基地局７０４に対するデバイス７０２のロケーション、および／またはデバイスによって報告されたＣＱＩに基づき得る（たとえば、より高いＣＱＩは、そのようなリソースを介してより低い送信電力を可能にすることがある）。たとえば、そのようなパラメータは、デバイス７０２がより低い送信電力で基地局７０４から信号を受信することが可能であるかどうかを判断するために評価され得る。一例では、所与のサブフレームについて、ＩＣＩＣネゴシエート構成要素７１８および７２６は、ｅＩＣＩＣを使用して時間領域において保護されたリソースをネゴシエートすることができる。別の例では、ＩＣＩＣネゴシエート構成要素７１８および７２６は、ＩＣＩＣを使用して周波数領域において保護されたリソースをネゴシエートすることができる。
【００７６】
送信構成要素７１６および７２４は、それぞれの基地局７０４および７０６からのデータ信号を復調するために使用され得る、共通基準信号（ＣＲＳ）などの基準信号をそれぞれ送信することができる。一例では、送信構成要素７１６および７２４は同じリソースを介してＣＲＳを送信し、衝突が生じることがある。この例では、一態様では、干渉消去構成要素７１２は、基地局７０６に関して受信されたＴ／Ｐ比情報に基づいて、基地局７０６によって送信されたＣＲＳの干渉を部分的に消去することができる。たとえば、Ｔ／Ｐ比指定構成要素７２２は、変動する電力を使用してデータ信号を同様に送信するために基地局７０６によって使用されるＴ／Ｐ比を示すことができる。Ｔ／Ｐ比指定構成要素７２２は、説明したように、バックホール接続を介して基地局７０４に（Ｔ／Ｐ比受信構成要素７２０によって受信され、デバイス７０２に送られ（forwarded）得る）Ｔ／Ｐ比を通信すること、１つまたは複数のデバイスにブロードキャストまたは専用シグナリング中でＴ／Ｐ比をシグナリングすることなどのうちの少なくとも１つを行うことができる。いずれの場合も、Ｔ／Ｐ比受信構成要素７０８は、基地局７０６によって使用されるＴ／Ｐ比を取得することができ、基地局７０６からのＣＲＳに起因する１つまたは複数のサブフレームまたはＲＢを介した干渉の量を判断することができる（たとえば、１−（示されたＴ／Ｐ比））。したがって、干渉消去構成要素７１２は、ＣＲＳによって引き起こされる判断された干渉を消去することができ、信号処理構成要素７１０は、得られた信号を復調し、および／または得られた信号のためのＣＳＩを報告することができる。
【００７７】
別の例では、基地局７０４および７０６は、複数のキャリアを介してデバイス７０２と通信することを可能にするためにＣＡを与えることができる。上記で説明した概念を使用して、この例ではマクロ基地局であり得る基地局７０４は、複数のキャリアを介して基地局７０４のカバレージエリアを最大にするために実質的に全電力（full power）を使用して複数のキャリアを介してＣＲＳを通信することができる。Ｔ／Ｐ比判断構成要素７１４は、次いで、電力を指定するために変動するＴ／Ｐ比を使用してそれらのキャリアの少なくとも一部分上で他のリソースを介してデータ通信を送信するために使用される電力を変動させることができる。したがって、基地局７０４は（たとえば、説明したように、基地局７０６とともに）依然としてそれらのリソースを介してＩＣＩＣ方式を実装することができるが、ＣＲＳを介した基地局７０４の信号強度はすべてのキャリアにわたって最大にされ得る。この例では、前に説明したように、Ｔ／Ｐ比受信構成要素７０８はＴ／Ｐ比を取得することができ、信号処理構成要素７１０は、関係するサブフレームおよび／またはＲＢにおいて受信された信号を復調するために、それらの信号のためのＣＳＩを報告するためになど、ＣＲＳに基づいてそれらの信号を介してＴ／Ｐ比を適用することができる。
【００７８】
以下の図８〜図１１に、サブフレーム、リソースブロック、または他の時間／周波数リソース区分を介して送信するために変動するＴ／Ｐ比を利用することに関係する例示的な方法を示す。説明を簡単にするために、方法を一連の行為として図示し説明するが、いくつかの行為は、１つまたは複数の実施形態によれば、他の行為と同時に、および／または本明細書で図示し説明する順序とは異なる順序で行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００７９】
図８に、受信されたＴ／Ｐ比を使用して信号を処理するための例示的な方法８００を示す。８０２において、特定のサブフレームまたはＲＢにおいてデータ信号を送信するために基地局によって使用される電力に関係するＴ／Ｐ比が受信される。説明したように、これは、１つまたは複数の通信フレームのために指定されたリスト、マップ、または他の構造などにおいて複数のＴ／Ｐ比を受信することを含むことができる。Ｔ／Ｐ比は、基地局からおよび／あるいは別の基地局またはネットワーク構成要素から受信され得、説明したように、０から１までの値または同様の比インジケータを含むことができる。一態様では、特定のサブフレームまたはリソースブロックにおいて複数のキャリアのうちの１つを介して送信するために基地局によって使用される電力に各々が関係する複数のＴ／Ｐ比が受信され得る。
【００８０】
８０４において、基地局から受信された基準信号の電力が判断され得る。たとえば、基準信号はＣＲＳであり得、上記電力は受信機によって測定され得る。一態様では、複数のキャリアのうちのあるキャリアを介して基地局から受信された基準信号の電力が判断され得る。
【００８１】
８０６において、基準信号の電力にＴ／Ｐ比を適用することに部分的に基づいて、サブフレームまたはＲＢ内で受信されたデータ信号が処理され得る。たとえば、基準信号の電力にＴ／Ｐ比を適用することによって、データ信号の電力が収集され得る。一態様では、基準信号の電力に、上記キャリアに対応する複数のＴ／Ｐ比のうちのあるＴ／Ｐ比を適用することに部分的に基づいて、特定のサブフレームまたはリソースブロック内で上記キャリアを介して受信されたデータ信号が処理され得る。別の態様では、基準信号の電力は、データ信号を復調するために、データ信号に関係するＣＳＩフィードバックを報告するためになど、使用され得る。
【００８２】
図９に、１つまたは複数の干渉基地局のＣＲＳを部分的に消去するための例示的な方法９００を示す。たとえば、１つまたは複数の干渉基地局は、Ｔ／Ｐ比を指定することによって変動する電力を使用して同様に送信することができる。
【００８３】
９０２において、特定のサブフレームまたはリソースブロックを介して干渉基地局からの干渉基準信号とともに基地局からの基準信号が受信され得る。説明したように、サービング基地局と干渉基地局は、場合によっては、基準信号（たとえば、ＣＲＳ）を送信するために同様のリソースを使用することができ、したがってサービング基地局からの基準信号は、干渉基地局からの基準信号からの干渉を伴って受信される。
【００８４】
９０４において、特定のサブフレームまたはリソースブロックを介して送信するために干渉基地局によって利用される第１のＴ／Ｐ比が受信され得る。たとえば、Ｔ／Ｐ比は、干渉基地局からの、サービング基地局などからの、シグナリング中で受信され得る。一例では、Ｔ／Ｐ比は、干渉基地局の基準信号とサービング基地局の基準信号がそれを介して衝突することが知られているサブフレームおよび／またはＲＢのためのものであり得る。
【００８５】
９０６において、Ｔ／Ｐ比に基づいて干渉基地局からのデータ信号が部分的に消去され得る。たとえば、Ｔ／Ｐ比は、サブフレームまたはＲＢを介した基準信号に起因する干渉の一部分を判断するために使用され得、干渉基地局の基準信号は、判断された干渉に従って部分的に消去され得る。得られた信号は、たとえば、復調、ＣＳＩフィードバックの報告などによって処理され得る。
【００８６】
９０８において、特定のサブフレームまたはリソースブロックにおいてデータ信号を送信するために基地局によって使用される電力に関係する第２のＴ／Ｐ比が受信され得る。
【００８７】
９１０において、基地局から受信された基準信号の電力が判断され得る。
【００８８】
９１２において、基準信号の判断された電力に第２のＴ／Ｐ比を適用することによってデータ信号が処理され得る。一態様では、ブロック９０６において示したように、干渉データ信号も処理の一部としてデータ信号から部分的に消去され得る。別の態様では、データ信号の処理は、データ信号を復調するために、データ信号に基づいてチャネル状態情報を報告するためになど、基準信号の電力を使用することを含み得る。
【００８９】
図１０に、変動する電力で信号を送信するための例示的な方法１０００を示す。
【００９０】
１００２において、基準信号が送信され得る。たとえば、これは、制御リソースを介してＣＲＳまたは同様の基準信号を送信することを含むことができる。一態様では、基準信号は複数のキャリアの各々を介して送信され得る。
【００９１】
１００４において、サブフレームまたはＲＢを介してデータ信号を通信するための送信電力が判断され得る。一例では、これは、ＩＣＩＣまたは同様の干渉協調方式を使用してリソースを別の基地局とネゴシエートすることに基づき得る。別の例では、サブフレームまたはＲＢの指示が、構成、ハードコーディングなどにおいて受信され得る。一態様では、上記判断は複数のキャリアの各々について実行され得る。
【００９２】
１００６において、基準信号の電力と比較したサブフレームまたはＲＢにおける送信電力についてデバイスに１つまたは複数のＴ／Ｐ比が示され得る。これは、バックホール接続などを介して上記デバイスにおよび／または１つまたは複数の基地局にＴ／Ｐ比をシグナリングすることを含むことができる。一態様では、Ｔ／Ｐ比は複数のキャリアの各々について示され得る。さらに、Ｔ／Ｐ比は、説明したように、所与の通信フレームからの、所与の通信フレームのための、通信ごとになど、リスト、マップなどにおいてシグナリングされ得る。
【００９３】
１００８において、送信電力に従ってサブフレームまたはＲＢを介してデータ信号が送信され得る。一態様では、データ信号は複数のキャリアの各々を介して送信され得る。したがって、送信機の電力が、送信電力でデータ信号を送信することになるように調整され得る。
【００９４】
図１１に、変動する電力で信号を送信するための例示的な方法１１００を示す。
【００９５】
１１０２において、基準信号が送信され得る。たとえば、これは、制御リソースを介してＣＲＳまたは同様の基準信号を送信することを含むことができる。一態様では、基準信号は複数のキャリアの各々を介して送信され得る。
【００９６】
１１０４において、基地局のための保護されたリソースであるものとしてサブフレームまたはＲＢが基地局とネゴシエートされ得る。一例では、これは、ＩＣＩＣまたは同様の干渉協調方式を使用してリソースを別の基地局とネゴシエートすることに基づき得る。一態様では、送信電力もサブフレームまたはリソースブロックを介してネゴシエートされ得る。
【００９７】
１１０６において、基地局のための保護されたリソースを介してデータ信号を通信するための送信電力が判断され得る。一例では、サブフレームまたはＲＢの指示が、構成、ハードコーディングなどにおいて受信され得る。一態様では、上記判断は複数のキャリアの各々について実行され得る。
【００９８】
１１０８において、基準信号の電力と比較したサブフレームまたはＲＢにおける送信電力についてデバイスに１つまたは複数のＴ／Ｐ比が示され得る。これは、バックホール接続などを介して上記デバイスにおよび／または１つまたは複数の基地局にＴ／Ｐ比をシグナリングすることを含むことができる。一態様では、Ｔ／Ｐ比は複数のキャリアの各々について示され得る。さらに、Ｔ／Ｐ比は、説明したように、所与の通信フレームからの、所与の通信フレームのための、通信ごとになど、リスト、マップなどにおいてシグナリングされ得る。
【００９９】
１１１０において、送信電力に従ってサブフレームまたはＲＢを介してデータ信号が送信され得る。一態様では、データ信号は複数のキャリアの各々を介して送信され得る。したがって、送信機の電力が、送信電力でデータ信号を送信することになるように調整され得る。
【０１００】
本明細書で説明する１つまたは複数の態様によれば、説明したように、サブフレームおよび／またはＲＢのための送信電力を判断すること、衝突するＣＲＳを部分的に消去すべきかどうかを判断することなどに関する推論が行われ得ることを諒解されよう。本明細書で使用する「推論する」または「推論」という用語は、概して、イベントおよび／またはデータを介して捕捉された観察のセットから、システム、環境、および／またはユーザの状態について論証する（reasoning about）、またはその状態を推論するプロセスを指す。推論は、特定のコンテキストまたはアクションを識別するために採用され得、あるいは、たとえば、状態の確率分布を生成することができる。推論は、確率的（probabilistic）、すなわち、データおよびイベントの考察に基づく関心があるもの（interest）の状態の確率分布の計算であり得る。推論は、イベントおよび／またはデータのセットからより高いレベルのイベントを構成するために採用される技法を指すこともある。そのような推論から、イベントが時間的に緊切して相関するか否かにかかわらず、ならびにイベントおよびデータが１つまたは複数のイベントおよびデータの発生源（sources）に由来するかどうかにかかわらず、観測されたイベントおよび／または記憶されたイベントデータのセットから新しいイベントまたはアクションが構成される。
【０１０１】
図１２を参照すると、１つまたは複数の受信されたＴ／Ｐ比に基づいて信号を処理するためのシステム１２００が示されている。たとえば、システム１２００は、少なくとも部分的にデバイス内に常駐することができる。システム１２００は機能ブロックを含むものとして表されており、それらの機能ブロックは、プロセッサ、ソフトウェア／ファームウェア、またはそれらの組合せによって実装される機能を表す機能ブロックであり得ることを諒解されたい。システム１２００は、連携して（in conjunction）動作することができる構成要素（たとえば、電気的構成要素）の論理グルーピング１２０２を含む。
【０１０２】
たとえば、論理グルーピング１２０２は、特定のサブフレームまたはＲＢにおいてデータ信号を送信するために基地局によって使用される電力に関係するＴ／Ｐ比を受信するための電気的構成要素１２０４を含むことができる。たとえば、Ｔ／Ｐ比は、説明したように、複数の比を用いたリスト、マップ、または他の構造において受信され得る。一態様では、受信するための電気的構成要素１２０４は、特定のサブフレームまたはリソースブロックを介して基地局からの基準信号と干渉基地局からの干渉基準信号とを受信するようにさらに構成され得る。たとえば、電気的構成要素１２０４は、上記で説明したように、Ｔ／Ｐ比受信構成要素７０８を含むことができる。
【０１０３】
さらに、論理グルーピング１２０２は、基準信号の電力を判断することと、基地局によって送信された基準信号の判断された電力にＴ／Ｐ比を適用することに部分的に基づいて、サブフレームまたはＲＢ内で受信されたデータ信号を処理することとを行うための電気的構成要素１２０６を備えることができる。一態様では、判断することおよび／または処理することを行うための電気的構成要素１２０６は、複数のキャリアのうちのあるキャリアを介して基地局から受信された基準信号の電力を判断することと、基準信号の電力に、上記キャリアに対応する複数のＴ／Ｐ比のうちのあるＴ／Ｐ比を適用することに部分的に基づいて、特定のサブフレームまたはリソースブロック内で上記キャリアを介して受信されたデータ信号を処理することとを行うように構成され得る。説明したように、一例では、上記電力は、データ信号を復調するために、データ信号に基づいてＣＳＩフィードバックを与えるためになど、判断および使用され得る。さらに、たとえば、電気的構成要素１２０６は、一態様では、上記で説明したように、信号処理構成要素７１０を含むことができる。
【０１０４】
さらに、論理グルーピング１２０２は、第１のＴ／Ｐ比に部分的に基づいて、特定のサブフレームまたはリソースブロックにおいて受信された基地局のデータ信号から干渉基地局の干渉データ信号を部分的に消去するための電気的構成要素１２０８を備えることができる。一態様では、電気的構成要素１２０８によって実行される、干渉データ信号の部分的消去は、データ信号を復調することの一部として実行され得る。さらに、たとえば、電気的構成要素１２０８は、一態様では、上記で説明したように、干渉消去構成要素７１２を含むことができる。
【０１０５】
さらに、システム１２００は、電気的構成要素１２０４、１２０６、および１２０８に関連する機能を実行するための命令を保持するメモリ１２１０を含むことができる。メモリ１２１０の外部にあるものとして示されているが、電気的構成要素１２０４、１２０６、および１２０８のうちの１つまたは複数は、メモリ１２１０の内部に存在することができることを理解されたい。一例では、電気的構成要素１２０４、１２０６、および１２０８は、少なくとも１つのプロセッサを備えることができるか、または各電気的構成要素１２０４、１２０６、および１２０８は、コントローラ／プロセッサ３８０など、少なくとも１つのプロセッサの対応するモジュールであり得る。その上、追加または代替の例では、構成要素１２０４、１２０６、および１２０８は、コンピュータ可読媒体を備えるコンピュータプログラム製品であり得、各構成要素１２０４、１２０６、および１２０８は、対応するコードであり得る。
【０１０６】
図１３を参照すると、変動する送信電力を使用してデータ信号を送信するためのシステム１３００が示されている。たとえば、システム１３００は、少なくとも部分的にフェムトノード、マクロ基地局、または他の基地局内に常駐することができる。システム１３００は機能ブロックを含むものとして表されており、それらの機能ブロックは、プロセッサ、ソフトウェア／ファームウェア、またはそれらの組合せによって実装される機能を表す機能ブロックであり得ることを諒解されたい。システム１３００は、連携して動作することができる構成要素（たとえば、電気的構成要素）の論理グルーピング１３０２を含む。
【０１０７】
たとえば、論理グルーピング１３０２は、基準信号および／または１つまたは複数のデータ信号を送信するための電気的構成要素１３０４を含むことができる。一態様では、電気的構成要素１３０４は複数のキャリアの各々について使用されるように構成され得る。たとえば、電気的構成要素１３０４は、上記で説明したように、送信構成要素７１６を含むことができる。
【０１０８】
さらに、論理グルーピング１３０２は、サブフレームまたはＲＢを介してデータ信号を通信するための送信電力を判断することと、基準信号の電力と比較したサブフレームまたはＲＢにおける送信電力についてデバイスに１つまたは複数のＴ／Ｐ比を示すこととを行うための電気的構成要素１３０６を備えることができる。一態様では、電気的構成要素１３０６は複数のキャリアの各々について使用されるように構成され得る。したがって、電気的構成要素１３０４は、所与のサブフレームまたはＲＢのための送信電力でデータ信号を送信することができ、受信機は、説明したように、対応するＴ／Ｐ比から電力を判断することに基づいて復調するかまたはフィードバックを報告することができる。一態様では、電気的構成要素１３０４は、基地局のための保護されたリソースであるものとしてサブフレームまたはリソースブロックを基地局とネゴシエートするように構成され得る。さらに、たとえば、電気的構成要素１３０６は、一態様では、上記で説明したように、Ｔ／Ｐ比判断構成要素７１４を含むことができる。別の態様では、論理グルーピング１３０２は、他の基地局から他のＴ／Ｐ比を受信することと、他の基地局からの干渉基準信号を部分的に消去するために上記デバイスに他のＴ／Ｐ比を通信することとを行うように構成され得る。別の態様では、論理グルーピング１３０２は、上記デバイスから複数のキャリアの各々に関係するチャネル状態情報フィードバックを受信するように構成され得る。
【０１０９】
さらに、システム１３００は、電気的構成要素１３０４および１３０６に関連する機能を実行するための命令を保持するメモリ１３０８を含むことができる。メモリ１３０８の外部にあるものとして示されているが、電気的構成要素１３０４および１３０６のうちの１つまたは複数は、メモリ１３０８の内部に存在することができることを理解されたい。一例では、電気的構成要素１３０４および１３０６は、少なくとも１つのプロセッサを備えることができるか、または各電気的構成要素１３０４および１３０６は、コントローラ／プロセッサ３４０など、少なくとも１つのプロセッサの対応するモジュールであり得る。その上、追加または代替の例では、構成要素１３０４および１３０６は、コンピュータ可読媒体を備えるコンピュータプログラム製品であり得、各構成要素１３０４および１３０６は、対応するコードであり得る。
【０１１０】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１１】
さらに、本明細書の開示に関して説明した様々な例示的な論理ブロック、モジュール、回路およびアルゴリズムステップは、ハードウェア、ソフトウェア／ファームウェア、またはそれらの組合せとして実装され得ることを、当業者は諒解されよう。ハードウェアとソフトウェア／ファームウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェア／ファームウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１１２】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１３】
本明細書の開示に関して説明した方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭメモリ、フラッシュメモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１１４】
１つまたは複数の例示的な設計では、説明した機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、フラッシュメモリ、相変化メモリ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１１５】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する（consistent）最も広い範囲を与えられるべきである。
以下に、本願出願の当初の特許請求の範囲に記載された発明を付記する。
［Ｃ１］トラフィックパイロット（Ｔ／Ｐ）比に基づいて基地局からの信号を処理するための方法であって、
特定のサブフレームまたはリソースブロックにおいて複数のキャリアのうちの１つを介して送信するために基地局によって使用される電力に各々が関係する複数のＴ／Ｐ比を受信することと、
前記複数のキャリアのうちのあるキャリアを介して前記基地局から受信された基準信号の電力を判断することと、
前記基準信号の前記電力に、前記キャリアに対応する前記複数のＴ／Ｐ比のうちのあるＴ／Ｐ比を適用することに部分的に基づいて、前記特定のサブフレームまたはリソースブロック内で前記キャリアを介して受信されたデータ信号を処理することとを備える、方法。
［Ｃ２］前記データ信号の前記処理が、前記データ信号を復調するためにまたは前記データ信号に基づいてチャネル状態情報を報告するために前記基準信号の前記電力を使用することをさらに備える、［Ｃ１］に記載の方法。
［Ｃ３］トラフィックパイロット（Ｔ／Ｐ）比に基づいて基地局からの信号を処理するための方法であって、
特定のサブフレームまたはリソースブロックを介して基地局からの基準信号と干渉基地局からの干渉基準信号とを受信することと、
前記特定のサブフレームまたはリソースブロックを介して送信するために前記干渉基地局によって利用される第１のＴ／Ｐ比を受信することと、
前記第１のＴ／Ｐ比に部分的に基づいて、前記特定のサブフレームまたはリソースブロックにおいて受信された前記基地局のデータ信号から前記干渉基地局の干渉データ信号を部分的に消去することと、
前記特定のサブフレームまたはリソースブロックにおいて前記データ信号を送信するために前記基地局によって使用される電力に関係する第２のＴ／Ｐ比を受信することと、
前記基地局から受信された前記基準信号の電力を判断することと、
前記基準信号の前記電力に前記第２のＴ／Ｐ比を適用することに部分的に基づいて、前記干渉データ信号を部分的に消去したことに続いて前記データ信号を処理することとを備える、方法。
［Ｃ４］前記データ信号の前記処理が、前記データ信号を復調するためにまたは前記データ信号に基づいてチャネル状態情報を報告するために前記基準信号の前記電力を使用することを備える、［Ｃ３］に記載の方法。
［Ｃ５］前記干渉データ信号の前記部分的消去が、前記データ信号を復調することの一部として実行される、［Ｃ３］に記載の方法。
［Ｃ６］サブフレームまたはリソースブロックにおける変動する電力を使用する送信の方法であって、
複数のキャリアの各々を介して基準信号を送信することと、
前記複数のキャリアの各々を介してデータ信号を通信するための送信電力を判断することと、
前記複数のキャリアの各々を介した前記基準信号の電力と比較した前記データ信号のための前記送信電力を指定して、デバイスに前記複数のキャリアの各々についてトラフィックパイロット（Ｔ／Ｐ）比を示すことと、
前記送信電力に従って前記複数のキャリアの各々を介して前記データ信号を送信することとを備える、方法。
［Ｃ７］前記デバイスから前記複数のキャリアの各々に関係するチャネル状態情報フィードバックを受信することをさらに備える、［Ｃ６］に記載の方法。
［Ｃ８］サブフレームまたはリソースブロックにおける変動する電力を使用する送信の方法であって、
基準信号を送信することと、
基地局のための保護されたリソースであるものとしてサブフレームまたはリソースブロックを前記基地局とネゴシエートすることと、
前記基地局のための前記保護されたリソースを介してデータ信号を通信するための送信電力を判断することと、
前記基準信号の電力と比較した前記保護されたリソースにおける前記送信電力についてデバイスに１つまたは複数のトラフィックパイロット（Ｔ／Ｐ）比を示すことと、
前記送信電力に従って前記保護されたリソースを介して前記データ信号を送信することとを備える、方法。
［Ｃ９］前記ネゴシエートすることが、前記サブフレームまたはリソースブロックを介して前記送信電力をネゴシエートすることをさらに備える、［Ｃ８］に記載の方法。
［Ｃ１０］他の基地局から他のＴ／Ｐ比を受信することと、
前記他の基地局からの干渉基準信号を部分的に消去するために前記デバイスに前記他のＴ／Ｐ比を通信することとをさらに備える、［Ｃ８］に記載の方法。
［Ｃ１１］前記基準信号の前記送信が、複数のキャリアのうちの少なくとも１つのキャリアを介して送信することを備え、前記複数のキャリアのキャリアアグリゲーションが前記デバイスのために与えられる、［Ｃ８］に記載の方法。
［Ｃ１２］トラフィックパイロット（Ｔ／Ｐ）比に基づいて基地局からの信号を処理するための装置であって、
特定のサブフレームまたはリソースブロックにおいて複数のキャリアのうちの１つを介して送信するために基地局によって使用される電力に各々が関係する複数のＴ／Ｐ比を受信するための手段と、
前記複数のキャリアのうちのあるキャリアを介して前記基地局から受信された基準信号の電力を判断するための手段と、
前記基準信号の前記電力に、前記キャリアに対応する前記複数のＴ／Ｐ比のうちのあるＴ／Ｐ比を適用することに部分的に基づいて、前記特定のサブフレームまたはリソースブロック内で前記キャリアを介して受信されたデータ信号を処理するための手段とを備える、装置。
［Ｃ１３］前記データ信号の処理のための前記手段が、前記データ信号を復調するために、または前記データ信号に基づいてチャネル状態情報を報告するために前記基準信号の前記電力を使用するようにさらに構成された、［Ｃ１２］に記載の装置。
［Ｃ１４］トラフィックパイロット（Ｔ／Ｐ）比に基づいて基地局からの信号を処理するための装置であって、
特定のサブフレームまたはリソースブロックを介して基地局からの基準信号と干渉基地局からの干渉基準信号とを受信するための手段と、
前記特定のサブフレームまたはリソースブロックを介して送信するために前記干渉基地局によって利用される第１のＴ／Ｐ比を受信するための手段と、
前記第１のＴ／Ｐ比に部分的に基づいて、前記特定のサブフレームまたはリソースブロックにおいて受信された前記基地局のデータ信号から前記干渉基地局の干渉データ信号を部分的に消去するための手段と、
前記特定のサブフレームまたはリソースブロックにおいて前記データ信号を送信するために前記基地局によって使用される電力に関係する第２のＴ／Ｐ比を受信するための手段と、
前記基地局から受信された前記基準信号の電力を判断するための手段と、
前記基準信号の前記電力に前記第２のＴ／Ｐ比を適用することに部分的に基づいて、前記干渉データ信号を部分的に消去したことに続いて前記データ信号を処理するための手段とを備える、装置。
［Ｃ１５］前記データ信号の処理のための前記手段が、前記データ信号を復調するために、または前記データ信号に基づいてチャネル状態情報を報告するために前記基準信号の前記電力を使用するようにさらに構成された、［Ｃ１４］に記載の装置。
［Ｃ１６］前記干渉データ信号の前記部分的消去が、前記データ信号を復調することの一部として実行される、［Ｃ１４］に記載の装置。
［Ｃ１７］サブフレームまたはリソースブロックにおける変動する電力を使用する送信のための装置であって、
複数のキャリアの各々を介して基準信号を送信するための手段と、
前記複数のキャリアの各々を介してデータ信号を通信するための送信電力を判断するための手段と、
前記複数のキャリアの各々を介した前記基準信号の電力と比較した前記データ信号のための前記送信電力を指定して、デバイスに前記複数のキャリアの各々についてトラフィックパイロット（Ｔ／Ｐ）比を示すための手段と、
前記送信電力に従って前記複数のキャリアの各々を介して前記データ信号を送信するための手段とを備える、装置。
［Ｃ１８］前記デバイスから前記複数のキャリアの各々に関係するチャネル状態情報フィードバックを受信するための手段をさらに備える、［Ｃ１７］に記載の装置。
［Ｃ１９］サブフレームまたはリソースブロックにおける変動する電力を使用する送信のための装置であって、
基準信号を送信するための手段と、
基地局のための保護されたリソースであるものとしてサブフレームまたはリソースブロックを前記基地局とネゴシエートするための手段と、
前記基地局のための前記保護されたリソースを介してデータ信号を通信するための送信電力を判断するための手段と、
前記基準信号の電力と比較した前記保護されたリソースにおける前記送信電力についてデバイスに１つまたは複数のトラフィックパイロット（Ｔ／Ｐ）比を示すための手段と、
前記送信電力に従って前記保護されたリソースを介して前記データ信号を送信するための手段とを備える、装置。
［Ｃ２０］ネゴシエートするための前記手段が、前記サブフレームまたはリソースブロックを介して前記送信電力をネゴシエートするようにさらに構成された、［Ｃ１９］に記載の装置。
［Ｃ２１］他の基地局から他のＴ／Ｐ比を受信するための手段と、
前記他の基地局からの干渉基準信号を部分的に消去するために前記デバイスに前記他のＴ／Ｐ比を通信するための手段とをさらに備える、［Ｃ１９］に記載の装置。
［Ｃ２２］前記基準信号の送信のための前記手段が、複数のキャリアのうちの少なくとも１つのキャリアを介して送信するようにさらに構成され、前記複数のキャリアのキャリアアグリゲーションが前記デバイスのために与えられる、［Ｃ１９］に記載の装置。
［Ｃ２３］特定のサブフレームまたはリソースブロックにおいて複数のキャリアのうちの１つを介して送信するために基地局によって使用される電力に各々が関係する複数のＴ／Ｐ比を受信することと、
前記複数のキャリアのうちのあるキャリアを介して前記基地局から受信された基準信号の電力を判断することと、
前記基準信号の前記電力に、前記キャリアに対応する前記複数のＴ／Ｐ比のうちのあるＴ／Ｐ比を適用することに部分的に基づいて、前記特定のサブフレームまたはリソースブロック内で前記キャリアを介して受信されたデータ信号を処理することとを行うように構成された処理システムを備える、ワイヤレス通信のための装置。
［Ｃ２４］前記処理システムが、前記データ信号を復調するためにまたは前記データ信号に基づいてチャネル状態情報を報告するために前記基準信号の前記電力を使用するようにさらに構成された、［Ｃ２３］に記載の装置。
［Ｃ２５］特定のサブフレームまたはリソースブロックを介して基地局からの基準信号と干渉基地局からの干渉基準信号とを受信することと、
前記特定のサブフレームまたはリソースブロックを介して送信するために前記干渉基地局によって利用される第１のＴ／Ｐ比を受信することと、
前記第１のＴ／Ｐ比に部分的に基づいて、前記特定のサブフレームまたはリソースブロックにおいて受信された前記基地局のデータ信号から前記干渉基地局の干渉データ信号を部分的に消去することと、
前記特定のサブフレームまたはリソースブロックにおいて前記データ信号を送信するために前記基地局によって使用される電力に関係する第２のＴ／Ｐ比を受信することと、
前記基地局から受信された前記基準信号の電力を判断することと、
前記基準信号の前記電力に前記第２のＴ／Ｐ比を適用することに部分的に基づいて、前記干渉データ信号を部分的に消去したことに続いて前記データ信号を処理することとを行うように構成された処理システムを備える、ワイヤレス通信のための装置。
［Ｃ２６］前記処理システムが、前記データ信号を復調するためにまたは前記データ信号に基づいてチャネル状態情報を報告するために前記基準信号の前記電力を使用するようにさらに構成された、［Ｃ２５］に記載の装置。
［Ｃ２７］前記干渉データ信号の前記部分的消去が、前記データ信号を復調することの一部として実行される、［Ｃ２５］に記載の装置。
［Ｃ２８］複数のキャリアの各々を介して基準信号を送信することと、
前記複数のキャリアの各々を介してデータ信号を通信するための送信電力を判断することと、
前記複数のキャリアの各々を介した前記基準信号の電力と比較した前記データ信号のための前記送信電力を指定して、デバイスに前記複数のキャリアの各々についてトラフィックパイロット（Ｔ／Ｐ）比を示すことと、
前記送信電力に従って前記複数のキャリアの各々を介して前記データ信号を送信することとを行うように構成された処理システムを備える、ワイヤレス通信のための装置。
［Ｃ２９］前記処理システムが、前記デバイスから前記複数のキャリアの各々に関係するチャネル状態情報フィードバックを受信するようにさらに構成された、［Ｃ２８］に記載の装置。
［Ｃ３０］基準信号を送信することと、
基地局のための保護されたリソースであるものとしてサブフレームまたはリソースブロックを前記基地局とネゴシエートすることと、
前記基地局のための前記保護されたリソースを介してデータ信号を通信するための送信電力を判断することと、
前記基準信号の電力と比較した前記保護されたリソースにおける前記送信電力についてデバイスに１つまたは複数のトラフィックパイロット（Ｔ／Ｐ）比を示すことと、
前記送信電力に従って前記保護されたリソースを介して前記データ信号を送信することとを行うように構成された処理システムを備える、ワイヤレス通信のための装置。
［Ｃ３１］前記処理システムが、前記サブフレームまたはリソースブロックを介して前記送信電力をネゴシエートするようにさらに構成された、［Ｃ３０］に記載の装置。
［Ｃ３２］前記処理システムが、
他の基地局から他のＴ／Ｐ比を受信することと、
前記他の基地局からの干渉基準信号を部分的に消去するために前記デバイスに前記他のＴ／Ｐ比を通信することとを行うようにさらに構成された、［Ｃ３０］に記載の装置。
［Ｃ３３］前記処理システムが、複数のキャリアのうちの少なくとも１つのキャリアを介して送信するようにさらに構成され、前記複数のキャリアのキャリアアグリゲーションが前記デバイスのために与えられる、［Ｃ３０］に記載の装置。
［Ｃ３４］特定のサブフレームまたはリソースブロックにおいて複数のキャリアのうちの１つを介して送信するために基地局によって使用される電力に各々が関係する複数のＴ／Ｐ比を受信することと、
前記複数のキャリアのうちのあるキャリアを介して前記基地局から受信された基準信号の電力を判断することと、
前記基準信号の前記電力に、前記キャリアに対応する前記複数のＴ／Ｐ比のうちのあるＴ／Ｐ比を適用することに部分的に基づいて、前記特定のサブフレームまたはリソースブロック内で前記キャリアを介して受信されたデータ信号を処理することとを行うためのコードを備えるコンピュータ可読媒体を備える、コンピュータプログラム製品。
［Ｃ３５］前記コンピュータ可読媒体が、前記データ信号を復調するためにまたは前記データ信号に基づいてチャネル状態情報を報告するために前記基準信号の前記電力を使用するためのコードをさらに備える、［Ｃ３４］に記載のコンピュータプログラム製品。
［Ｃ３６］特定のサブフレームまたはリソースブロックを介して基地局からの基準信号と干渉基地局からの干渉基準信号とを受信することと、
前記特定のサブフレームまたはリソースブロックを介して送信するために前記干渉基地局によって利用される第１のＴ／Ｐ比を受信することと、
前記第１のＴ／Ｐ比に部分的に基づいて、前記特定のサブフレームまたはリソースブロックにおいて受信された前記基地局のデータ信号から前記干渉基地局の干渉データ信号を部分的に消去することと、
前記特定のサブフレームまたはリソースブロックにおいて前記データ信号を送信するために前記基地局によって使用される電力に関係する第２のＴ／Ｐ比を受信することと、
前記基地局から受信された前記基準信号の電力を判断することと、
前記基準信号の前記電力に前記第２のＴ／Ｐ比を適用することに部分的に基づいて、前記干渉データ信号を部分的に消去したことに続いて前記データ信号を処理することとを行うためのコードを備えるコンピュータ可読媒体を備える、コンピュータプログラム製品。
［Ｃ３７］前記コンピュータ可読媒体が、前記データ信号を復調するためにまたは前記データ信号に基づいてチャネル状態情報を報告するために前記基準信号の前記電力を使用するためのコードをさらに備える、［Ｃ３６］に記載のコンピュータプログラム製品。
［Ｃ３８］前記干渉データ信号の前記部分的消去が、前記データ信号を復調することの一部として実行される、［Ｃ３６］に記載のコンピュータプログラム製品。
［Ｃ３９］複数のキャリアの各々を介して基準信号を送信することと、
前記複数のキャリアの各々を介してデータ信号を通信するための送信電力を判断することと、
前記複数のキャリアの各々を介した前記基準信号の電力と比較した前記データ信号のための前記送信電力を指定して、デバイスに前記複数のキャリアの各々についてトラフィックパイロット（Ｔ／Ｐ）比を示すことと、
前記送信電力に従って前記複数のキャリアの各々を介して前記データ信号を送信することとを行うためのコードを備えるコンピュータ可読媒体を備える、コンピュータプログラム製品。
［Ｃ４０］前記コンピュータ可読媒体が、前記デバイスから前記複数のキャリアの各々に関係するチャネル状態情報フィードバックを受信するためのコードをさらに備える、［Ｃ３９］に記載のコンピュータプログラム製品。
［Ｃ４１］基準信号を送信することと、
基地局のための保護されたリソースであるものとしてサブフレームまたはリソースブロックを前記基地局とネゴシエートすることと、
前記基地局のための前記保護されたリソースを介してデータ信号を通信するための送信電力を判断することと、
前記基準信号の電力と比較した前記保護されたリソースにおける前記送信電力についてデバイスに１つまたは複数のトラフィックパイロット（Ｔ／Ｐ）比を示すことと、
前記送信電力に従って前記保護されたリソースを介して前記データ信号を送信することとを行うためのコードを備えるコンピュータ可読媒体を備える、コンピュータプログラム製品。
［Ｃ４２］前記コンピュータ可読媒体が、前記サブフレームまたはリソースブロックを介して前記送信電力をネゴシエートするためのコードをさらに備える、［Ｃ４１］に記載のコンピュータプログラム製品。
［Ｃ４３］前記コンピュータ可読媒体が、
他の基地局から他のＴ／Ｐ比を受信することと、
前記他の基地局からの干渉基準信号を部分的に消去するために前記デバイスに前記他のＴ／Ｐ比を通信することとを行うためにコードをさらに備える、［Ｃ４１］に記載のコンピュータプログラム製品。
［Ｃ４４］前記コンピュータ可読媒体が、複数のキャリアのうちの少なくとも１つのキャリアを介して送信するためのコードをさらに備え、前記複数のキャリアのキャリアアグリゲーションが前記デバイスのために与えられる、［Ｃ４１］に記載のコンピュータプログラム製品。
【図１】
0005902306.tif 000002
【図２】
0005902306.tif 000003
【図３】
0005902306.tif 000004
【図４Ａ】
0005902306.tif 000005
【図４Ｂ】
0005902306.tif 000006
【図５】
0005902306.tif 000007
【図６】
0005902306.tif 000008
【図７】
0005902306.tif 000009
【図８】
0005902306.tif 000010
【図９】
0005902306.tif 000011
【図１０】
0005902306.tif 000012
【図１１】
0005902306.tif 000013
【図１２】
0005902306.tif 000014
【図１３】
0005902306.tif 000015